(57)【特許請求の範囲】
【請求項１】
番組を識別する番組識別子と、前記番組識別子で識別される番組の送信先である番組受信装置をネットワーク上で特定する送信先識別子とを有する録画予約情報を、番組受信装置からネットワークを通じて受け付ける録画予約情報受付部と、
前記録画予約情報受付部が受け付けた前記録画予約情報が有する番組識別子で識別される番組を放送により受信する番組受信部と、
前記番組受信部で受信した番組を記録する番組記録部と、
前記番組記録部で記録した番組を、当該番組に対応する番組予約情報が有する送信先識別子で特定される番組受信装置へネットワークを通じて送信する番組送信部と
を具備することを特徴とする番組処理装置。
【請求項２】
前記録画予約情報は、前記番組送信部が番組受信装置へ番組を送信する日時を指定する送信日時識別子をさらに有し、
前記番組送信部が、前記送信日時識別子で指定された日時に前記番組を送信する請求項１記載の番組処理装置。
【請求項３】
前記録画予約情報受付部が、同一の番組識別子を有する複数の録画予約情報を受信した場合、当該複数の録画予約情報と同数の番組を前記番組受信部が受信し、前記複数の録画予約情報と同数の番組を前記番組記録部に記録する請求項１又は請求項２記載の番組処理装置。
【請求項４】
前記番組受信部の数を管理する同一時間帯受信可能数管理部と、
前記録画予約情報受付部で受け付けた１以上の録画予約情報を蓄積する録画予約情報蓄積部と、
前記録画予約情報受付部で新たな録画予約情報を受け付けた際に、前記同一時間帯受信可能数管理部で管理されている番組受信部の数と前記録画予約情報蓄積部で蓄積した録画予約情報の数とから録画予約が可能か否かを判断する録画予約判断部と、
前記録画予約判断部での判断結果が録画予約不可であった場合に、当該判断結果を前記新たな録画予約情報が有する送信先識別子で特定される番組受信装置へネットワークを通じて送信する判断結果送信部と
をさらに具備する請求項１から請求項３のいずれかに記載の番組処理装置。
【請求項５】
前記番組受信部は番組とともに当該番組に関する情報である番組属性情報を受信し、
前記番組属性情報に基づいて、当該番組の提供者に支払う料金を算出する支払料金算出部
をさらに具備する請求項１から請求項４のいずれかに記載の番組処理装置。
【請求項６】
前記番組送信部における番組送信に対する課金料金を算出する課金料算出部
をさらに具備する請求項１から請求項５のいずれかに記載の番組処理装置。
【請求項７】
請求項１から請求項６のいずれかに記載の番組処理装置と対になる番組受信装置であって、
前記番組処理装置に前記録画予約情報を送信する録画予約情報送信部と、
前記番組処理装置から送信される番組を受信する録画番組受信部と、
前記録画番組受信部で受信した番組を録画する番組録画部と
を具備する番組受信装置。
【請求項８】
請求項１から請求項６のいずれかに記載の番組処理装置と対になる番組受信装置であって、
前記番組処理装置に前記録画予約情報を送信する録画予約情報送信部と、
前記番組処理装置から送信される番組を受信する録画番組受信部と、
前記録画番組受信部で受信した番組を再生する録画番組再生部と
を具備する番組受信装置。
【請求項９】
請求項１から請求項６のいずれかに記載の番組処理装置と通信可能なコンピュータに、
前記番組処理装置に前記録画予約情報を送信する手順、
前記番組処理装置から送信される番組を受信する手順、
前記受信した番組を録画する手順
を実行させるための番組処理プログラム。
【請求項１０】
請求項１から請求項６のいずれかに記載の番組処理装置と通信可能なコンピュータに、
前記番組処理装置に前記録画予約情報を送信する手順、
前記番組処理装置から送信される番組を受信する手順、
前記受信した番組を再生する手順
を実行させるための番組処理プログラム。
【請求項１１】
番組を識別する番組識別子と、前記番組識別子で識別される番組の送信先を特定する送信先識別子とを有する録画予約情報を、ネットワークを通じて受け付ける録画予約情報受付ステップと、
前記録画予約情報が有する番組識別子で識別される番組を放送により受信する番組受信部の数と、前記録画予約情報受付ステップで新たな録画予約情報を受け付けた際に、既に受け付けた録画予約情報の数に基づいて新たな録画予約情報に対応する録画予約が可能か否かを判断する録画予約判断ステップと、
前記録画予約判断ステップでの判断結果が録画予約不可であった場合に、当該判断結果を前記新たな録画予約情報が有する送信先識別子で特定される送信先へネットワークを通じて送信する判断結果送信ステップと
を具備する録画予約受付方法。
【請求項１２】
番組を識別する番組識別子と、前記番組識別子で識別される番組の送信先を特定する送信先識別子とを有する録画予約情報を、ネットワークを通じて受け付ける録画予約情報受付ステップと、
前記録画予約情報受付ステップにて受け付けられた録画予約情報に対応する番組と当該番組に関する情報である番組属性情報とを受信する番組受信ステップと、
前記番組受信ステップにて受信した番組属性情報に基づいて、当該番組の提供者に支払う料金を前記送信先識別子ごとに振り分け、前記送信先識別子ごとに料金を算出するステップと
前記送信先識別子ごとに算出した料金を前記送信先識別子で特定される番組受信装置へネットワークを通じて送信する料金送信ステップと
を具備する提供料金算出方法。
【請求項１３】
前記受信ステップにて受信した番組の送信に対する課金料金を前記送信先識別子ごと算出する課金料算出ステップをさらに具備し、
前記料金送信ステップにおいて、前記番組の送信に対する課金料金が前記番組の提供者に支払う料金とともに送信される請求項１２に記載の提供料金算出方法。
【発明の詳細な説明】
【０００１】
【発明の属する技術分野】
本発明は、番組を受信し録画する番組処理装置、番組処理装置から番組を受信する番組受信装置、番組受信プログラム及び提供料金算出方法を関するものである。
【０００２】
【従来の技術】
近年、ＢＳ(Broadcasting  Satellite)ディジタル放送、ＣＳ(Communication  Satellite)ディジタル放送、インターネットを利用したテレビ放送等が開始され、地上波を利用したアナログ放送が主流であった時代に比べてチャンネルが増加している。そのため、視聴者の番組の選択幅が大きくなり、従来以上に自分の好みの番組を見ることができるようになってきている。
更に、ＣＡＴＶ、ＢＳやＣＳを利用した放送事業には、新たに多数の企業が参入して新たな放送事業を開始し、これが更なるチャンネルの増加に貢献している。
【０００３】
【発明が解決しようとする課題】
前記地上波による放送、ＣＡＴＶ、ＢＳやＣＳ等はそれぞれ放送モードが異なっており、当然視聴者側のテレビは各放送モードに応じたチューナを揃える必要がある。しかしながら、視聴者側で各放送モードに応じた多種類のチューナを備えることは経済的な負担が大きく、躊躇せざるを得ない。
【０００４】
そのために視聴者は、チャンネルの増加によって番組の選択幅が広がったにもかかわらず、多種類のチューナを揃えなければ、前記のような多チャンネル化の恩恵を受けることができない。
また、チャンネルの増加により、視聴者の見たい複数の番組が同時間に放送される確率も高くなる。しかし、一般的にビデオ等の録画機器は同時に２以上の番組を録画することができないために、視聴者の見たい複数の番組が同時間に放送されると、これらの番組を全部録画することができない。
【０００５】
そこで本発明は、前記従来の事情に基づいて提案されたものであって、所定のモードの放送を受信するチューナを備え、該チューナで受信した番組を記録する番組処理装置と、番組処理装置にて記録された番組を取得し、再生することができる番組受信装置を提供することを目的とする。
【０００６】
【課題を解決するための手段】
本発明は、前記目的を達成するために以下の手段を採用している。すなわち、本発明の番組処理装置１００は図１に示すように、録画予約情報を受け付ける録画予約情報受付部１０１と、前記番組録画予約情報受付部１０１にて受け付けた録画予約情報に基づいて番組を放送により受信する番組受信部１０２と、前記番組受信部１０２が受信した番組を記録する番組記録部１０３と、前記番組記録部１０３で記録した番組を所定の機器に送信する番組送信部１０４から構成されている。録画予約情報は、番組を識別する番組識別子と、前記番組識別子で識別される番組の送信先である番組受信装置をネットワーク上で特定する送信先識別子とを有し、ネットワークを通じて番組録画予約情報受付部１０１に受け付けられる。また、番組送信部１０４は、番組記録部１０３で記録した番組を、当該番組に対応する番組予約情報が有する送信先識別子で特定される番組受信装置へネットワークを通じて送信する。
即ち、番組処理装置１００は番組送信部１０４にて番組記録部１０３で記録した番組を他の装置に送信することができるようになっており、他の装置は番組を受信しなくても、前記番組処理装置１００が受信した番組を取得することで、他の装置にて番組を再生することができるようになる。
そのため番組処理装置１００は、番組記録部１０３が記録した番組を受信して再生する機能を持った装置とを組み合わせて使うことで、記録した番組を他の装置に送信することができるという番組処理装置１００の機能を有効に活用することができる。
そこで本願では、番組処理装置１００と共に番組処理装置１００から送信される番組を再生することができる番組受信装置２００の提案も行っている。
この番組受信装置２００は番組処理装置１００から送信される番組を受信する録画番組受信部２０２と、該録画番組受信部２０２が受信した番組を再生する録画番組再生部２０４とを備えている。また、番組受信装置２００に録画番組受信部２０２が受信した番組を一旦録画するための番組録画部２０３を備えるようにしてもよい。更に、番組受信装置２００から前記番組処理装置１００に前記録画予約情報を、ネットワークを通じて送信することができるように番組録画予約情報送信部２０１を備えるようにしておいてもよい。
【０００７】
【発明の実施の形態】
（実施の形態１）
図２に示すように番組処理装置１００はインターネット等のネットワークを介して複数の番組受信装置２００と通信可能に接続され、この番組受信装置２００には録画予約情報を送信する録画予約情報送信部２０１が備えられている。この録画予約情報送信部２０１は番組受信装置２００のユーザが当該番組受信装置２００に入力した録画予約情報を番組処理装置１００に送信するようになっている。
図３に示すように、前記番組録画予約情報３００は録画する番組を識別するための番組識別子３０１を含んでおり、この番組識別子３０１は例えば番組の放送時間及び放送チャンネルを示す情報から構成され、番組固有の識別子である。
【０００８】
例えば、番組受信装置２００のユーザがＥＰＧ（Electronic  Program  Guide）等を参照し、リモコン或いはキーボードから２００１年９月１日の午後１０時から１１時の１０ｃｈにて放送される番組の番組識別子３０１を当該番組受信装置２００に入力すると、録画予約情報送信部２０１は入力された番組識別子３０１と番組受信装置２００を特定するための送信先識別子３０２とを組み合わせた録画予約情報３００を番組処理装置１００に送信する。尚、前記送信先識別子３０２とは、番組受信装置２００のＩＰアドレス（Internet  Protocol  Address）等の番組受信装置２００をネットワーク上で特定することができる識別子である。
【０００９】
前記のように番組受信装置２００から送信された録画予約情報３００は、番組処理装置１００に備えられた録画予約情報受付部１０１にて受信され、当該録画予約情報受付部１０１は受信した録画予約情報３００を録画予約判断部１０５に転送する（図４、Ｓ４０１）。
【００１０】
録画予約判断部１０５は録画予約情報３００を受け取ると、番組処理装置１００において当該録画予約情報３００に含まれる番組識別子３０１に対応する番組の録画が可能か否かを以下のようにして判断する。
番組処理装置１００には異なるモードの放送を受信するため、各モードに対応したチューナを備えた番組受信部１０２が１又は複数備えられている。そこで、前記録画予約判断部１０５は番組処理装置１００に備えられた番組受信部１０２の数を管理する同一時間帯受信可能数管理部１０６を参照して、番組処理装置１００に備えられた番組受信部１０２の数を取得する（図４、Ｓ４０２）。
尚、本実施の形態においては図２に示すように、４つの番組受信部１０２が番組処理装置１００に備えられているものとする。
次に、録画予約判断部１０５は、録画予約情報３００の番組識別子３０１を参照し、録画の対象となる番組の放送日時、即ち、ここでは２００１年９月１日午後１０時から午後１１時を取得する（図４、Ｓ４０３）。前記録画予約判断部１０５は番組の放送日時を認識すると、図５に示すように１又は複数の録画予約情報が蓄積されている録画予約情報蓄積部１０７にアクセスする（図４、Ｓ４０４）。
録画予約判断部１０５は録画予約情報蓄積部１０７にアクセスすると、蓄積されている録画予約情報に含まれる番組識別子５０１を参照して、番組の放送日時が２００１年９月１日午後１０時から午後１１時に該当する番組識別子の数をカウントする（図４、Ｓ４０５）。尚、ここでは放送日時が２００１年９月１日午後１０時から午後１１時に該当する録画予約が、２つ蓄積されており、録画予約判断部１０５は録画予約情報の数を‘２’とカウントしたものとする。
次に、前記録画予約判断部１０５はカウントした数が番組処理装置１００に備えられた番組受信部１０２の数より小さい場合は、録画予約情報３００に対応する番組の録画が可能であると判断する。このように判断するのは１つの録画予約に対して１つの番組受信部１０２（チューナ）が割り当てられるためである。
また、同一番組に対して複数の録画予約がある場合がある。その場合、番組処理装置１００は録画予約数と同数の番組受信部１０２から録画予約数と同数の所定の番組を受信する。このようにして録画予約数と同数の所定の番組を受信するため、番組処理装置１００は所定の番組に対して複数の録画予約があっても、複写をすることなく、録画予約数と同数の番組を取得することができる。
前記のように本実施の形態では、番組処理装置１００には４つの番組受信部１０２が備えられており、録画予約判断部１０５がカウントした録画予約情報の数が‘２’であるので、録画予約判断部１０５は録画予約情報３００に対する録画が可能であると判断する（図４、Ｓ４０６）。
録画予約判断部１０５は録画可能と判断すると、前記録画予約情報蓄積部１０７に録画予約情報３００を登録する（図４、Ｓ４０７）。
以上のようにして録画予約情報が前記録画予約情報蓄積部１０７に登録されると、番組受信制御部１２０は録画予約情報３００の番組識別子３０１に対応する番組の受信担当となる番組受信部１０２を選択するようになる。尚、ここでは、番組受信部１０２Ａが録画予約情報３００の受信担当の番組受信部１０２として番組受信制御部１２０にて選択されたものとする。
【００１１】
番組受信部１０２Ａは録画予約情報３００に対応する番組の受信担当の番組受信部１０２として選択されると、当該録画予約情報３００の番組識別子３０１を参照して番組の放送時間を認識し、この放送時間になると、番組識別子３０１にて特定されるチャンネルを介して放送される番組を受信するようになる。
尚、放送局から送信される放送には、番組と前記EPGを介してユーザが使用する番組識別子と同じ番組識別子とが対応付けられて送信されていることとする。
番組受信部１０２Ａは録画予約情報３００に従って番組の受信を開始すると、まず受信した番組の番組識別子と録画予約情報蓄積部１０７にて蓄積されている番組識別子３０１とが一致するか否かを判断する。
番組受信部１０２Ａは一致していると判断すると、当該番組の受信を継続し、当該番組の受信が完了すると、録画予約情報蓄積部１０７から録画予約情報３００に含まれる送信先識別子３０２を取得して、受信した番組と番組識別子と共に番組記録部１０３に転送する（図４、Ｓ４０８〜Ｓ４０９）。
また番組受信部１０２Ａは上記の判断において、受信した番組の番組識別子と録画予約情報３００に含まれている番組識別子３０１とが一致しないと判断すると、番組の受信を中止するようにする。
【００１２】
前記番組記録部１０３は前記番組受信部１０２から番組と番組識別子と送信先識別子３０２とを受け取ると、番組と番組識別子と送信先識別子３０２とを対応付けて番組処理装置１００内に備えられたハードディスク等に記録する（図４、Ｓ４１０）。
番組記録部１０３は番組受信部１０２から転送された番組と番組識別子と送信先識別子３０２との記録が完了すると、送信先識別子３０２と対応する領域に記録完了を示すフラグを立てる。
このようにフラグが立てられた送信先識別子３０２は、所定の間隔で番組送信部１０４にて参照され、番組送信部１０４は当該送信先識別子３０２が示す送信先、即ち番組受信装置２００に該送信先識別子３０２と対応付けて記録された番組と番組識別子とを送信する（図４、Ｓ４１１）。
【００１３】
ここで、番組送信部１０４が番組と番組識別子とを番組受信装置２００に送信するタイミングを番組受信装置２００のユーザが指定できるようにしてもよい。その場合、番組受信装置２００のユーザは番組受信装置２００のリモコン或いはキーボードにて番組の送信指示を入力する。すると、番組受信装置２００は当該送信指示に番組受信装置２００の送信先識別子３０２を付加して送信指示を番組処理装置１００に送信する。
番組受信装置２００から送信された送信指示を番組送信部１０４が受信すると、番組送信部１０４は送信指示に含まれている送信先識別子３０２を参照し、送信先識別子３０２と対応付けて記録されている番組と番組識別子とを番組記録部１０３から取得して、送信先識別子３０２が示す送信先に送信する。
【００１４】
また、前記番組送信部１０４が番組と番組識別子とを送信するタイミングとしては、番組処理装置１００と番組受信装置２００とを接続する通信回線が混雑していない早朝等とするようにしてもよい。
【００１５】
前記番組送信部１０４から送信された番組は番組受信装置２００の録画番組受信部２０２にて受信され、録画番組受信部２０２は受信した番組を録画番組再生部２０４に転送する。
【００１６】
前記録画番組再生部２０４は録画番組受信部２０２から転送された番組を受け取ると、受け取った番組の再生を行う。
【００１７】
また番組受信装置２００に番組録画部２０３が備えられている場合は、前記録画番組受信部２０２は受信した番組を番組録画部２０３に転送するようにしてもよい。番組録画部２０３は前記録画番組受信部２０２から転送された番組を受け取ると、受け取った番組と番組識別子とを番組受信装置２００内に備えられたハードディスク、又はＶＴＲやＤＶＲ−Ｒ等に録画する。
【００１８】
このように番組受信装置２００に番組録画部２０３を備えておくことで、例えば、番組受信装置２００のユーザが留守にしている昼間や就寝している深夜に番組送信部１０４から番組が送信された場合であっても、番組受信装置２００のユーザは番組録画部２０３にて録画された番組を、後から録画番組再生部２０４等にて再生し、番組を視聴できるようになる。
【００１９】
以上のように、番組受信装置２００のユーザは録画予約情報を番組処理装置１００に送信し、番組処理装置１００に所定の番組を記録させ、番組受信装置２００が記録された番組を番組処理装置１００から取得することで、番組受信装置２００にて番組を視聴することが可能となる。即ち、番組受信装置２００のユーザが視聴しようとする番組が放送される放送モードに対応するチューナを自分の番組受信装置２００に備えていなくても、番組受信装置２００にてユーザが視聴しようとする番組を視聴することができる。
【００２０】
尚、番組送信部１０４が番組を番組受信装置２００に送信するタイミングを、録画予約情報を入力する際にユーザが指定できるようにしてもよい。
【００２１】
その場合、番組受信装置２００のユーザは録画予約情報３００を番組受信装置２００に入力する際に、前記番組送信部１０４が番組を送信する送信日時を入力するようにする。前記録画予約情報送信部２０１は録画予約情報と共に入力された送信日時を図３に示すように送信日時識別子３０３として前記録画予約情報３００に付加し、前記番組処理装置１００に送信するようになる。
【００２２】
前記録画予約情報受付部１０１は前記番組受信装置２００から送信される送信日時識別子３０３が付加された録画予約情報３００を受信すると、該録画予約情報３００を前記録画予約判断部１０５に転送する。
前記録画予約判断部１０５は録画予約情報３００を受信すると、前記のように録画予約情報３００に対応する番組が録画可能であるか否か判断する。ここで録画予約判断部１０５は録画可能と判断すると、前記のように送信日時識別子３０３を含んだ録画予約情報３００を録画予約情報蓄積部１０７に登録するようにする。
【００２３】
このように送信日時識別子３０３が録画予約情報蓄積部１０７に登録された後に、前記のようにして番組受信部１０２が送信日時識別子３０３と対応する番組と番組識別子とを受信すると、番組受信部１０２は受信した番組の番組識別子３０２に対応する番組識別子３０２と送信日時識別子３０３とを録画予約情報蓄積部１０７から取得し、受信した番組、番組識別子、番組識別子３０２及び送信日時識別子３０３とを番組記録部１０３に転送する。
【００２４】
前記番組記録部１０３は番組と送信先識別子３０２と送信日時識別子３０３とを受け取ると、該番組と送信先識別子３０２と送信日時識別子３０３とを対応付けて記録する。
【００２５】
このように前記番組記録部１０３にて番組と送信日時識別子３０３とが対応付けられて記録されているので、前記番組送信部１０４は番組受信装置２００のユーザが指定した送信日時を認識することができる。そのため、番組送信部１０４は送信日時識別子を参照し、記録した番組を番組受信装置２００に送信することができるようになる。
【００２６】
従って、番組受信装置２００のユーザは番組受信装置２００にて番組を見ることができる都合の良い時間を送信日時として指定することで、番組受信装置２００のユーザは番組を見るために番組受信装置２００の番組録画部２０３にて番組を録画する手間を省くことができる。
また、以上では録画の対象となる番組の放送時間において、番組受信部１０２Ａと番組受信部１０２Ｃとの受信予定が空いている場合について説明したが、４つ全ての番組受信部１０２の受信スケジュールが詰まっている場合がある。
その場合、同一時間帯受信可能数管理部１０６が管理する番組受信部１０２の数と受信予定の詰まっている番組受信部１０２の数が同一という状態になり、この状態なると前記録画予約判断部１０５は、録画予約情報３００に対応する番組の録画が不可能であると判断する（図４、Ｓ４０６）。
このように録画判断部１０５が録画不可能であると判断をすると、判断結果送信部１０８は録画予約情報３００に含まれる送信先識別子３０２を用いて、当該番組処理装置１００が録画予約情報３００の録画対象となる番組の録画することが不可能である旨の判断結果を番組受信装置２００に送信する（図４、Ｓ４１２）。また、言うまでもなく、録画予約判断部１０５が録画可能であると判断した場合、判断結果送信部１０８は録画可能であるという判断結果を番組受信装置２００に送信するようにしてもよい。
【００２７】
番組受信装置２００の録画番組受信部２０２は、判断結果送信部１０８から録画が可能か否かの判断結果を受け取ると、その判断結果を番組受信装置２００に備えられた表示画面等に表示する。録画予約情報を入力したユーザはこの表示を見て、録画予約情報に対応する番組の録画が可能か否かを確認することができるようになる。
【００２８】
また、前記では録画の対象となる番組の受信を番組受信部１０２Ａにて行っているが、１つの番組の受信を複数の番組受信部１０２にて行うようにしてもよい。
例えば、２００１年９月１日午後１０時から午後１１時において、番組受信部１０２Ｂと１０２Ｃとが、既に番組受信制御部１２０によって他の番組の受信担当として決定されており、番組受信部１０２Ａがその日の午後１０時から午後１０時３０分、番組受信部１０２Ｄが午後１０時３０分から午後１１まで他の番組の受信担当とされている場合、番組受信制御部１２０は録画予約情報３００に対応する番組の受信を、番組受信部１０２Ａと番組受信部１０２Ｄとで行うようにする。即ち、午後１０時から午後１０時３０分までは番組受信部１０２Ｄを番組の受信担当とし、午後１０時３０分から午後１１時までは番組受信部１０２Ａを番組の受信担当とするようにする。
このように１つの番組を複数の番組受信部１０２にて受信することで、例えば録画する番組の放送時間中、常に受信スケジュールが空いている番組受信部１０２がなくても、複数の番組受信部１０２で１つの番組の受信を引き継いで行うことで、当該番組の受信を行うことができるようになる。
また、上記番組識別子は番組を識別するための情報であればよく、例えば番組が放送されるチャンネルと放送時間とを組み合わせた情報から構成されていても良い。
（実施の形態２）
以上のように番組処理装置１００は番組を受信することができるようになっており、そこで、番組の提供者が番組受信装置１００における番組の受信状況に応じて、番組受信装置１００の所有者から番組の受信料を徴収することができるように、番組に当該番組の番組属性情報を多重して送信するようにする。尚、ここでの番組の提供者とは、番組のスポンサーに限らず、例えば当該番組の製作者、当該番組を放送する放送局等であって構わない。
前記番組属性情報は、番組の提供者を識別するための識別子と、番組の受信料を算出するための受信料識別子から構成されている。この受信料識別子は、番組の受信料そのものを示す識別子、又は番組の放送時間や番組の種類等を示す識別子である。
番組受信部１０２は実施の形態１に記載のように番組を受信すると、当該番組に多重されている番組属性情報を抽出し、該番組属性情報を番組の受信料を算出する支払料金算出部１０９に転送する（図６、Ｓ６０１）。
該支払料金算出部１０９は番組属性情報を受け取ると、図７に示すように番組属性情報に含まれている番組の提供者を識別するための識別子を用いて、受信料識別子を番組の提供者毎に振り分けて記憶する（図６、Ｓ６０２）。
支払料金算出部１０９は例えば、１月に１回振り分けられて記憶されている受信料識別子を番組の提供者毎に集計し、番組の提供者毎に支払う受信料の算出を行うようにする（図６、Ｓ６０３）。
各番組の提供者に支払う受信料の算出は、受信料識別子が受信料そのものを示す識別子である場合、支払料金算出部１０９は受信料識別子を各番組の提供者毎に合計して受信料を算出する。
また、受信料識別子が、例えば番組の放送時間の長さを示す場合、支払料金算出部１０９は各番組の提供者の受信料識別子を合計し、合計した値に所定の係数を掛けて各番組提供者に支払う受信料を算出するようにする。
支払料金算出部１０９は以上のように算出した受信料を、例えば番組処理装置１００に備えられた表示画面等に表示したり、また、各番組の提供者が受信料を把握できるように各番組の提供者にインターネット等を介して送信したりしてもよい。
また、番組処理装置１００の所有者の銀行口座と各番組の提供者の銀行口座とが支払料金算出部１０９に登録されている場合、支払料金算出部１０９は例えば１月に１回番組処理装置１００の所有者の口座がある銀行に対して、番組処理装置１００の所有者の口座から各番組提供者の銀行口座に受信料を振り込む旨を通知するようにしてもよい。
【００２９】
更に、上記受信料識別子が番組の放送時間の長さに比例した数値からなるポイントを表す場合、支払料金算出手段１０９は上記のように１月に１回、各番組の提供者毎にポイントを集計し、郵送又はインターネット等を介して集計したポイントを各番組の提供者に通知するようにしてもよい。各番組の提供者は通知されたポイントに基づいて番組受信装置１００の所有者に対して受信料を請求するようにしてもよい。
【００３０】
（実施の形態３）
前記のように番組受信装置２００のユーザは番組処理装置１００を利用し、所定の番組を記録し、番組処理装置１００が記録した番組を番組受信装置２００にて受信することで、番組受信装置２００の録画番組再生部２０４にて番組を再生することができる。
そこで番組処理装置１００の所有者は、番組受信装置２００のユーザが番組処理装置１００を利用して番組を記録することに対しての番組処理装置１００の使用料を徴収するようにしてもよい。
一方、実施の形態２に記載のように、番組処理装置１００の所有者は番組の受信状況に応じて、番組の提供者に受信料を支払っている場合もある。その場合、番組受信装置１００のユーザの録画予約情報に基づいて受信した番組に対する受信料の一部又は全部を番組受信装置２００のユーザが負担する受信料として番組受信装置２００のユーザに負担してもらうようにしてもよい。
そこで、番組受信装置２００のユーザから徴収する番組処理装置１００の使用料及び受信料を算出するために、番組処理装置１００に課金料金算出部１１０を備えるようにする。
まず、番組処理装置１００の使用料の算出方法としては、例えば番組送信部１０４は番組を送信する度に、送信先識子別を課金料金算出部１１０に転送するようにする（図８、Ｓ８０１）。図９（ａ）に示すように課金料金算出部１１０は送信先識別子を受け取ると、送信先識別子毎に送信先識別子を受け取った回数を記憶し、記憶した回数に所定の係数を掛けた値を使用料として算出する（図８、Ｓ８０２〜Ｓ８０３）。
また、課金料金算出部１１０が番組受信装置２００のユーザが負担する受信料を算出する場合、番組受信部１０２は番組と番組識別子とを受信する際に、実施の形態２に記載のように当該番組の受信料識別子も受信するようにする（図８、Ｓ８０４）。番組受信部１０２は番組を受信すると、前記のように受信した番組と番組識別子と送信先識別子とに加えて、受信した受信料識別子も番組記録部１０３に転送し、番組記録部１０３は受信した番組、番組識別子、送信先識別子及び受信料識別子を対応付けて記録する（図８、Ｓ８０５）。
このように、番組録画部１０３にて送信先識別子が記録されると、前記のように番組送信部１０４は番組記録部１０３にて記録された送信先識別子を参照して取得し、取得した送信先識別子に対応付けて記録されている番組を送信先識別子が示す送信先に送信する。
番組送信部１０４は番組を送信する際に、送信先識別子と対応付けて記録されている受信料識別子を番組記録部１０３から取得して、当該送信先識別子と受信料識別子とを課金料金算出部１１０に転送する（図８、Ｓ８０６）。
課金料金算出部１１０は送信先識別子と受信料識別子とを受信すると、図７（ｂ）に示すように送信先識別子に基づいて受信料識別子を振り分けて記憶する（図８、Ｓ８０７）。
課金料金算出部１１０は実施の形態２に記載したように、送信先識別子毎に振り分けて記憶した受信料識別子から、各番組受信装置２００のユーザが負担する受信料を算出する（図８、Ｓ８０８）。尚、課金料金算出部１１０が算出した受信料に対して、更に所定の係数を掛けた値を番組受信装置２００のユーザが負担する受信料としてもよい。
また、課金料金算出部１１０に番組処理装置１００の所有者の銀行口座と各番組受信装置２００のユーザの銀行口座とが登録されている場合は、課金料金算出部１１０は１月に１回、１月分の各番組受信装置２００のユーザが負担する受信料又は使用料を算出し、各番組受信装置２００のユーザの銀行口座がある銀行に対して、受信料又は使用料を番組処理装置１００の所有者の銀行口座に振り替える旨の通知をしてもよい。
最後に図２に示す、番組処理装置１００は、コンピュータを用いて具現化することができる。その場合、録画予約情報受付部１０１、番組受信部１０２、番組送信部１０４、録画予約判断部１０５、判断結果送信部１０８はコンピュータ上でプログラムを動作させることにより具現化される。また、番組記録部１０３、同一時間帯受信可能数管理部１０６、録画予約情報蓄積部１０７はコンピュータ上に設けられた記憶部を用いることができる。
同様に番組受信装置２００も予約情報送信部２０１、録画番組受信部２０２、番組録画部２０３、録画番組再生部２０４をコンピュータ上でプログラムを動作させることにより具現化される。
【００３１】
【発明の効果】
本発明の番組処理装置は受信した番組を記録して、番組受信装置に送信することができるために、番組受信装置は当該番組を受信して録画しなくても、番組処理装置が受信した番組を取得することで、当該番組を再生することができる。
従って、番組受信装置に所定の放送を受信するチューナがなくても、番組処理装置が当該放送を受信するチューナを備えている限りは、番組受信装置のユーザは、番組受信装置にて当該放送に含まれる番組を視聴することができる。
【図面の簡単な説明】
【図１】番組処理装置と番組受信装置との概略図
【図２】実施の形態１における番組処理装置と番組受信装置の概略図
【図３】録画予約情報の概略図
【図４】実施の形態１の番組処理装置の処理手順を示すフロー図
【図５】録画予約情報蓄積部の模式図
【図６】受信料を算出する手順を示したフロー図
【図７】支払料金算出部が記憶する内容を示した概念図
【図８】使用料及び受信料を算出する手順を示したフロー図
【図９】課金料金算出部が記憶する内容を示す概念図
【符号の説明】
１００  番組処理装置
１０１  録画予約情報受付部
１０２  番組受信部
１０３  番組記録部
１０４  番組送信部
１０５  録画予約判断部
１０６  同一時間帯受信可能数管理部
１０７  録画予約情報蓄積部
１０８  判断結果送信部
１０９  支払料金算出部
１１０  課金料金算出部
２００  番組受信装置
２０１  録画予約情報送信部
２０２  録画番組受信部
２０３  番組録画部
２０４  録画番組再生部
【図１】
0003904189.tif 000002
【図２】
0003904189.tif 000003
【図３】
0003904189.tif 000004
【図４】
0003904189.tif 000005
【図５】
0003904189.tif 000006
【図６】
0003904189.tif 000007
【図７】
0003904189.tif 000008
【図８】
0003904189.tif 000009
【図９】
0003904189.tif 000010